(57)【要約】【課題】保守負荷を低減可能なオーバーヘッドリーダを提供する。【解決手段】オーバーヘッドリーダ１は、載置台（載置部）１０と、カメラ（撮影部）２０と、支柱３０と、操作部４０と、配線部５０とを有する。載置台１０は、撮影対象（被写体）を載置するための領域である載置領域１１を備える。カメラ２０は、載置領域１１を撮影範囲に臨み、載置領域１１に載置された撮影対象を撮影する。支柱３０は、載置領域１１がカメラ２０の撮影範囲に含まれるように、カメラ２０を支持する。操作部４０は、操作入力に用いられる複数のスイッチを有する。操作部４０は、操作部４０を構成する各構成部品が取り外し可能（着脱可能）にオーバーヘッドリーダ１（載置台１０）に取り付けられている。配線部５０は、操作部４０が受付けた入力内容をカメラ２０に通知するための配線ケーブルが配線される。【選択図】図１
2017135488.tif 000002
【特許請求の範囲】
【請求項１】
撮影対象を撮影するオーバーヘッドリーダであって、
前記撮影対象が載置される載置部と、
前記載置部を撮影範囲に臨み、前記撮影対象を撮影する撮影部と、
前記撮影部に対する撮影に関する指示の入力を受付ける操作部と、を備え、
前記操作部を構成する構成部品は、前記オーバーヘッドリーダに着脱可能に取り付けられている、
オーバーヘッドリーダ。
【請求項２】
前記構成部品には、部品カバーが含まれており、
前記部品カバー以外の構成部品は、前記部品カバーに着脱可能に取り付けられた状態で、前記オーバーヘッドリーダに取り付けられている、
請求項１に記載のオーバーヘッドリーダ。
【請求項３】
前記構成部品には、電子部品が含まれ、
前記オーバーヘッドリーダの前記操作部が取り付けられる部分には、静電気除去部材が形成されており、
前記操作部は、前記電子部品が前記静電気除去部材と接触した状態で、前記オーバーヘッドリーダに取り付けられている、
請求項２に記載のオーバーヘッドリーダ。
【請求項４】
前記操作部は、押ボタン式の第１のスイッチと、押ボタン式の第２のスイッチとを有し、
前記第１のスイッチは、弾性変形することでボタンを可動する第１の可動部を備え、
前記第２のスイッチは、弾性変形することでボタンを可動する、前記第１の可動部と長さが異なる第２の可動部を備える、
請求項２に記載のオーバーヘッドリーダ。
【請求項５】
前記第１の可動部、および前記第２の可動部は、樹脂で形成されている、
請求項４に記載のオーバーヘッドリーダ。
【請求項６】
前記部品カバーは、
前記部品カバー以外の構成部品を取り付けて収容する収容部と、
ヒンジ構造によって回動して収容部を開閉する開閉板と、を備え、
前記操作部は、前記開閉板で前記収容部を閉じた状態で前記オーバーヘッドリーダに着脱される、
請求項２に記載のオーバーヘッドリーダ。
【請求項７】
前記部品カバーは、一体成形されており、
前記ヒンジ構造は、
所定の回動範囲を満たすように厚みを薄くする方向に凹んだ２つの凹部と、
前記２つの凹部の間に形成され、前記２つの凹部を分離する凸部と、を備える、
請求項６に記載のオーバーヘッドリーダ。
【請求項８】
前記２つの凹部は、前記収容部を閉じる方向が略台形状に凹んでいる、
請求項７に記載のオーバーヘッドリーダ。
【発明の詳細な説明】
【技術分野】
【０００１】
保守負荷を低減したオーバーヘッドリーダに関する。
【背景技術】
【０００２】
金融機関等では、パソコンに接続され、接続したパソコンから撮影に関する指示を受付けて非接触で伝票や帳票、手書きの原稿などの撮影対象を光学的に撮影するオーバーヘッドリーダ（OHR：OverHeadReader）が利用されている。オーバーヘッドリーダは、非接触で撮影対象を撮影するため、良好に撮影するためには、撮影時に撮影対象を適切な載置状態に保つ必要がある。しかしながら、上記オーバーヘッドリーダでは、接続したパソコンを操作して撮影の指示を行う必要があるため、操作者は、撮影の指示を行う際に撮影対象の載置状態を確認できない場合があった。
【０００３】
これに対して、撮影に関する指示の入力に用いられるスイッチが装置に形成されたオーバーヘッドリーダが知られている（たとえば、特許文献１参照）。このようなオーバーヘッドリーダでは、操作者は、撮影対象の載置状態を確認しながら撮影の指示をできるため、撮影時に撮影対象を適切な載置状態に保つことができる。
【先行技術文献】
【特許文献】
【０００４】
【特許文献１】特開２００５−７８００７号公報
【発明の概要】
【発明が解決しようとする課題】
【０００５】
しかしながら、スイッチが装置に形成されたオーバーヘッドリーダは、スイッチの操作によって生じる負荷（振動、衝撃）をスイッチの操作のたびに受けるため、パソコンから撮影の指示を受付けるオーバーヘッドリーダに比べて故障が発生しやすく、保守負荷が増大する場合があった。
【０００６】
本発明は、このような点に鑑みてなされたものであり、保守負荷を低減可能なオーバーヘッドリーダを提供することを目的とする。
【課題を解決するための手段】
【０００７】
上記課題を解決するために、本発明は、撮影対象を撮影するオーバーヘッドリーダを提供する。オーバーヘッドリーダは、撮影対象が載置される載置部と、載置部を撮影範囲に臨み、撮影対象を撮影する撮影部と、撮影部に対する撮影に関する指示の入力を受付ける操作部とを備え、操作部を構成する構成部品は、オーバーヘッドリーダに着脱可能に取り付けられている。
【発明の効果】
【０００８】
上記のオーバーヘッドリーダは、保守性の高い操作部を備えているので、保守負荷を低減できる。
【図面の簡単な説明】
【０００９】
【図１】実施形態におけるオーバーヘッドリーダの斜視図（その１）である。
【図２】実施形態におけるオーバーヘッドリーダの斜視図（その２）である。
【図３】実施形態におけるオーバーヘッドリーダの部分拡大図である。
【図４】実施形態における操作部の分解図である。
【図５】実施形態における部品カバーを示す図である。
【図６】実施形態における部品カバーのヒンジ部の模式図である。
【図７】実施形態におけるボタン構造体を示す図である。
【図８】実施形態における回路基板を示す図である。
【図９】実施形態におけるレンズを示す図である。
【図１０】実施形態における操作部の組立工程を示す図（その１）である。
【図１１】実施形態における操作部の組立工程を示す図（その２）である。
【図１２】実施形態における操作部が取り外されたオーバーヘッドリーダの部分拡大図である。
【発明を実施するための形態】
【００１０】
以下、実施形態について図面を参照して説明する。
まず、実施形態のオーバーヘッドリーダの概要について図１，２を用いて説明する。図１，２は、実施形態におけるオーバーヘッドリーダの斜視図である。具体的には、図１は、オーバーヘッドリーダの正面側の斜視図であり、図２は、オーバーヘッドリーダの底面側の斜視図である。
【００１１】
オーバーヘッドリーダ１は、載置台（載置部）１０と、カメラ（撮影部）２０と、支柱３０と、操作部４０と、配線部５０とを有する。
載置台１０は、載置領域１１と、外周領域（非載置領域）１２とを有する。載置領域１１は、撮影対象（被写体）を載置するための領域である。載置領域１１は、載置台１０の中央部分に位置する。
【００１２】
外周領域１２は、載置領域１１の外周（周縁）を囲う領域である。外周領域１２のおもて面（撮影対象が載置される側の面）には、支柱３０が形成されている。また、外周領域１２の裏面側（オーバーヘッドリーダ１の底面側）には、脚部１３、潜込防止部１４が形成されている。外周領域１２の一画には、取り外し可能（着脱可能）に操作部４０が取り付けられている。
【００１３】
脚部１３は、オーバーヘッドリーダ１を地面に安定して載置した際に、地面に接地する部分である。脚部１３は、載置台１０の四隅に設けられている。脚部１３は、地面に安定して載置するために滑りにくい素材（たとえば、ゴム）で形成されている。脚部１３は、図２に示すように裏面側において、操作部４０よりも突出している。
【００１４】
このように裏面側において脚部１３が操作部４０よりも突出しているため、オーバーヘッドリーダ１を地面に載置した場合に、操作部４０と地面との間に隙間が形成され、操作部４０は、地面と接触しない。
【００１５】
このように、オーバーヘッドリーダ１は、操作部４０の地面との接触を防止することで、地面から操作部４０に伝播される衝撃を抑止できる。これにより、オーバーヘッドリーダ１は、操作部４０の故障を抑止して、オーバーヘッドリーダ１の保守負荷を低減できる。
【００１６】
潜込防止部１４は、図２に示すように外周領域１２の裏面（操作部４０）よりも突出しており、脚部１３によって載置台１０の裏面と地面との間にできた隙間への媒体（紙）の潜り込みを防止する。潜込防止部１４は、クッション材（スポンジ）を用いて形成される。潜込防止部１４は、外周領域１２の裏面側のうち操作部４０が設けられた部分を除いた部分に形成されている。
【００１７】
このように外周領域１２の裏面側においてクッション材を用いて形成された潜込防止部１４が操作部４０よりも突出しているため、載置台１０の裏面を地面に対して傾いた状態でも地面と操作部４０が接触するのを防止できる。これによれば、オーバーヘッドリーダ１は、移動等により、地面に再度載置し直す際に、地面と操作部４０が接触するのを防止できる。
【００１８】
このように、オーバーヘッドリーダ１は、操作部４０の地面等との接触を防止することで、地面等から操作部４０に伝播される衝撃を抑止できる。これにより、オーバーヘッドリーダ１は、操作部４０の故障を抑止して、オーバーヘッドリーダ１の保守負荷を低減できる。
【００１９】
カメラ２０は、載置領域１１を撮影範囲に臨み、載置領域１１に載置された撮影対象を撮影する。カメラ２０は、操作部４０が受付けた入力内容に基づいて制御される。
支柱３０は、載置領域１１がカメラ２０の撮影範囲に含まれるように、カメラ２０を支持する。支柱３０は、外周領域１２のおもて面に形成され、カメラ２０を載置領域１１と対向する位置に支持する。
【００２０】
操作部４０は、撮影者による操作入力に用いられる。操作部４０は、操作入力に用いられる複数の押ボタン式のスイッチを有する。操作部４０は、ボタンの押下により撮影に関する指示の入力を受付ける。たとえば、操作部４０は、撮影パラメータ（たとえば、輝度や明度）の調整指示や撮影指示の入力を受付ける。操作部４０は、取り外し可能（着脱可能）にオーバーヘッドリーダ１（載置台１０）に取り付けられている。
【００２１】
配線部５０は、操作部４０が受付けた入力内容をカメラ２０に通知するための配線ケーブルが配線される。配線部５０は、カメラ２０と操作部４０とを結ぶ経路に形成されている。具体的には、配線部５０は、載置台１０の裏面側（図２）および支柱３０の内部に形成されている。
【００２２】
このような撮影者による操作入力に用いられる操作部を備えるオーバーヘッドリーダでは、操作部には操作者の操作の度に負荷（振動や衝撃等）が加わるため、操作部は、オーバーヘッドリーダの他の部分よりも保守を高頻度（修理を高頻度）にする必要があった。
【００２３】
そこで、オーバーヘッドリーダ１では、修理（保守）しやすいように操作部４０（操作部４０を構成する構成部品）が、オーバーヘッドリーダ１（載置台１０）に対して着脱可能に取り付けられている。
【００２４】
このように、オーバーヘッドリーダ１は、壊れにくく、かつ、修理しやすい（保守性を高めた）操作部４０を備えることで、保守負荷を低減できる。
ここで、着脱可能に取り付けられている操作部４０について図３を用いて説明する。図３は、実施形態におけるオーバーヘッドリーダの部分拡大図である。具体的には、オーバーヘッドリーダ１の操作部４０が取り付けられた部分を拡大した図である。
【００２５】
操作部４０は、操作入力をするために用いられる押ボタン式のスイッチ４１，４２，４３と、表示灯４４とを有する。
スイッチ４１は、撮影パラメータの増加指示の入力に用いられるスイッチである。スイッチ４２は、撮影指示の入力に用いられるスイッチである。スイッチ４３は、撮影パラメータの減少指示の入力に用いられるスイッチである。表示灯４４は、いずれかのスイッチが操作（ボタンが押下）された場合に、点灯することで、入力を受付けたことを報知する。
【００２６】
次に、操作部４０を構成する構成部品について図４を用いて説明する。図４は、実施形態における操作部の分解図である。
操作部４０は、部品カバー１４０とボタン構造体２４０と回路基板（電子部品）３４０とレンズ４４０とを有する。操作部４０は、部品カバー１４０に対して、ボタン構造体２４０、回路基板３４０、レンズ４４０が順番に取り付けられたものである。操作部４０は、ボタン構造体２４０と回路基板３４０とレンズ４４０とが取り外し可能（着脱可能）に部品カバー１４０に対して取り付けられた状態で、オーバーヘッドリーダ１に着脱される。
【００２７】
次に、各構成部品についてより具体的に説明する。まず始めに部品カバー１４０について図５を用いて説明する。図５は、実施形態における部品カバーを示す図である。
部品カバー１４０は、ボタン構造体２４０と回路基板３４０とレンズ４４０とを取り付けて収容（収納）するカバー（収容体）である。
【００２８】
部品カバー１４０は、樹脂により一体成形されている。部品カバー１４０は、第１の平板１４０ａと、第１の平板１４０ａから略直角に起立する第２の平板１４０ｂと、第２の平板１４０ｂに対して回動可能に接続する第３の平板（開閉板）１４０ｃとを有する。第１の平板１４０ａと、第２の平板１４０ｂと、第３の平板１４０ｃとは、略矩形形状である。
【００２９】
第１の平板１４０ａは、操作部４０をオーバーヘッドリーダ１に取り付けた場合に、載置台１０のおもて面側に位置する（載置台１０のおもて面と略同一平面に位置する）部分である。
【００３０】
第２の平板１４０ｂは、操作部４０をオーバーヘッドリーダ１に取り付けた場合に、載置台１０の側面側に位置する（載置台１０の側面と略同一平面に位置する）部分である。第２の平板１４０ｂは、第１の平板１４０ａの一辺から略直角に起立し、上端側（第１の平板１４０ａと対向する側）で第３の平板１４０ｃと接続（連結）する。
【００３１】
第３の平板１４０ｃは、操作部４０をオーバーヘッドリーダ１に取り付けた場合に、載置台１０の裏面側に位置する（載置台１０の裏面と略同一平面に位置する）部分である。第３の平板１４０ｃは、第２の平板１４０ｂに対して回動可能に第２の平板１４０ｂと接続（連結）する。すなわち、部品カバー１４０は、第３の平板１４０ｃと、第２の平板１４０ｂとの接続（連結）部分に、回動機構（ヒンジ部）を有する。ヒンジ部（ヒンジ構造）については後で図６を用いて説明する。第３の平板１４０ｃは、図５に示した状態（第２の平板１４０ｂの第１の平板１４０ａ側の面の裏面から略直角に起立した状態）から、第１の平板１４０ａと略平行に対面する状態（第２の平板１４０ｂの第１の平板１４０ａ側の面から略直角に起立した状態）まで回動する。
【００３２】
図５に示した部品カバー１４０は、ボタン構造体２４０と回路基板３４０とレンズ４４０とを取り付けて収容する収容部（収納部）を開いた状態であり、ボタン構造体２４０と回路基板３４０とレンズ４４０とを着脱可能な状態である。
【００３３】
収容部は、第１の平板と略平行に対面した状態の第３の平板１４０ｃと、第１の平板１４０ａとの間の部分である。つまり、部品カバー１４０は、取付けられたボタン構造体２４０と回路基板３４０とレンズ４４０とを、第１の平板と略平行に対面した状態の第３の平板１４０ｃと、第１の平板１４０ａとの間の部分に収容する。以下、収容部を開いた状態を、部品着脱可能状態（収容部開放状態）と呼ぶ。
【００３４】
一方、図５の状態から第３の平板１４０ｃを第１の平板１４０ａと略平行に対面した状態まで回動すると、構成部品を取り付けて収容する収容部（収納部）が閉じた状態（ボタン構造体２４０と回路基板３４０とレンズ４４０とを着脱不可能な状態）になる。そしてこの状態で、後述する係止機構を係脱可能に係止することで、第３の平板１４０ｃは第１の平板１４０ａに対して略平行に対面した状態で固定され、第３の平板１４０ｃが回動不可能になる。以下、収容部を閉じて、係止機構を係脱可能に係止した状態を部品固定状態（収容部閉鎖状態）と呼ぶ。
【００３５】
なお、オーバーヘッドリーダ１では、操作部４０は、部品カバー１４０を部品固定状態にして、オーバーヘッドリーダ１に着脱される。このように、部品カバー１４０を部品固定状態にして操作部４０をオーバーヘッドリーダ１に着脱することで構成部品をひとまとめに着脱できるため、オーバーヘッドリーダ１は、構成部品が紛失するのを抑止できる。これにより、オーバーヘッドリーダ１は、操作部４０の保守負荷を低減できる。
【００３６】
ここで、部品カバー１４０のヒンジ部について図６を用いて説明する。図６は、実施形態における部品カバーのヒンジ部の模式図である。図６（ａ）は、部品カバー１４０が部品着脱可能状態である場合のヒンジ部を示している。図６（ｂ）は、部品カバー１４０が部品固定状態である場合のヒンジ部を示している。
【００３７】
ヒンジ部（第２の平板１４０ｂに対して第３の平板１４０ｃを回動可能に連結する連結部）１４０ｄは、第２の平板１４０ｂと第３の平板１４０ｃとの接続（連結）部分に形成されている。部品カバー１４０では、図６（ａ），（ｂ）に示したヒンジ部１４０ｄが、第２の平板１４０ｂと第３の平板１４０ｃとの接続部分に沿って形成されている。ヒンジ部１４０ｄは、図６（ａ），（ｂ）に示すように第３の平板１４０ｃを第２の平板１４０ｂの上端部（第１の平板１４０ａと接続する側と反対側の端部）を中心として左右両側に略９０°回動可能である。
【００３８】
ヒンジ部１４０ｄは、第２の平板１４０ｂ側に形成された凹部１４０ｄｂと、第３の平板１４０ｃ側に形成された凹部１４０ｄｃと、２つの凹部の間に形成され２つの凹部を分離する凸部１４０ｄ１とを有する。
【００３９】
凹部１４０ｄｂ，１４０ｄｃは、図６（ａ）に示すように、厚みを薄くする方向に略台形状に切り取られた形状（略台形状に凹んだ形状）である。凹部１４０ｄｂ，１４０ｄｃは、収容部の閉じる方向（部品カバー１４０を部品固定状態にした際に内側になる側）が切り取られた形状（凹んだ形状）である。
【００４０】
具体的には、凹部１４０ｄｂは、凸部１４０ｄ１を第２の平板１４０ｂの上端部を中心として左右両側に略４５°回動可能な厚みに樹脂の厚みがなるように、厚みを薄くする方向に略台形状に切り取られた形状である。このように凹部１４０ｄｂは、厚みを薄くする方向に略台形状に切り取られた形状であるため、部品カバー１４０を部品固定状態にした場合に、凸部１４０ｄ１の根元部分と第２の平板１４０ｂとの間に隙間を形成する（凸部１４０ｄ１と第２の平板１４０ｂとが完全に密着するのを抑止する）。
【００４１】
このように部品固定状態において隙間ができるように凹部１４０ｄｂを形成することで、ヒンジ部１４０ｄは、部品固定状態の部品カバー１４０において、第２の平板１４０ｂと第３の平板１４０ｃとの間で振動や衝撃が伝播するのを抑止できる。
【００４２】
凹部１４０ｄｃは、凸部１４０ｄ１を中心として第３の平板１４０ｃを左右両側に略４５°回動可能な厚みに樹脂の厚みがなるように、厚みを薄くする方向に略台形状に切り取られた形状である。このように凹部１４０ｄｃは、厚みを薄くする方向に略台形状に切り取られた形状であるため、部品カバー１４０を部品固定状態にした場合に、凸部１４０ｄ１の根元部分と第３の平板１４０ｃとの間に隙間を形成する（凸部１４０ｄ１と第３の平板１４０ｃとが完全に密着するのを抑止する）。
【００４３】
このように部品固定状態において隙間ができるように凹部１４０ｄｃを形成することで、ヒンジ部１４０ｄは、部品固定状態の部品カバー１４０において、第２の平板１４０ｂと第３の平板１４０ｃとの間で振動や衝撃が伝播するのを抑止できる。これにより、部品カバー１４０は、操作部４０の故障を抑止できる。
【００４４】
以上が、部品カバー１４０が備えるヒンジ部１４０ｄである。このように、ヒンジ部１４０ｄは、凸部１４０ｄ１によって分離された凹部１４０ｄｂと凹部１４０ｄｃとを有しているため、２段階（箇所）で回動可能である。そして２段階（箇所）で回動可能であるため、ヒンジ部１４０ｄは、各凹部の回動範囲を狭くしても（各凹部部分の強度を維持しつつ）、全体として広い回動範囲（左右両側に９０°の可動範囲）を実現することができる。このように凹部部分の強度を維持可能であるため、ヒンジ部１４０ｄは、部品カバー１４０の破損を抑止できる。これにより、ヒンジ部１４０ｄは、操作部４０の保守負荷を低減できる。
【００４５】
またヒンジ部１４０ｄは、２箇所が回動（２箇所で屈曲）するため、部品カバー１４０を部品固定状態にした場合に、第２の平板１４０ｂと第３の平板１４０ｃとが成す角（連結する部分）を丸めることができる。
【００４６】
このように、ヒンジ部１４０ｄは、第２の平板１４０ｂと第３の平板１４０ｃとが連結する部分を丸めることで、操作部４０をオーバーヘッドリーダ１に取り付けて使用する際に、当該連結する部分が接触や衝突等により破損するのを抑制できる。これにより、ヒンジ部１４０ｄは、操作部４０の保守負荷を低減できる。図５に戻って部品カバー１４０の構造について説明を続ける。
【００４７】
部品カバー１４０は、係止孔１４１ａ，１４１ｂと、係止突起１４２ａ，１４２ｂと、突起部１４３ａ，１４３ｂと、レンズ露出部１４４と、ボタン露出部１４５ａ，１４５ｂ，１４５ｃと、突起部１４６ａ，１４６ｂとを有する。また、部品カバー１４０は、突起部１４７ａ，１４７ｂと、貫通孔１４８ａ，１４８ｂと、突起部１４９と、ケーブル溝１５０とを有する。
【００４８】
係止孔１４１ａ，１４１ｂは、第３の平板１４０ｃを第１の平板１４０ａに対して固定（第３の平板１４０ｃを回動不可能な状態に）するための係止機構であり、第３の平板１４０ｃの第２の平板１４０ｂと連結する側の辺と反対側（対向する側）の辺側に形成されている。
【００４９】
係止突起１４２ａ，１４２ｂは、第３の平板１４０ｃを第１の平板１４０ａに対して固定（第３の平板１４０ｃを回動不可能な状態に）するための係止機構であり、第１の平板１４０ａの第２の平板１４０ｂが起立する側の辺と反対側（対向する側）の辺側に形成されている。係止突起１４２ａは、係止孔１４１ａに対応した突起である。係止突起１４２ｂは、係止孔１４１ｂに対応した突起である。係止孔１４１ａ，１４１ｂと、係止突起１４２ａ，１４２ｂとは、第３の平板１４０ｃを、第１の平板１４０ａと略平行に対面した状態で固定するための係止機構の一例である。
【００５０】
係止突起１４２ａ，１４２ｂは、第３の平板１４０ｃを第１の平板１４０ａと略平行に対面した状態まで回動させると係止孔１４１ａ，１４１ｂに挿入される。係止突起１４２ａ，１４２ｂは、上端側（第１の平板１４０ａと対向する側）に返し（フック）が形成されており、返し部分まで挿入すると係止孔１４１ａ，１４１ｂと返し部分（係止突起１４２ａ，１４２ｂ）が係脱可能に係止する。係止孔１４１ａ，１４１ｂに係止した係止突起１４２ａ，１４２ｂは、弾性変形させて返し部分を係止孔１４１ａ，１４１ｂから係脱させる（外す）と、係止孔１４１ａ，１４１ｂから挿抜可能になる。
【００５１】
突起部１４３ａ，１４３ｂは、ボタン構造体２４０と回路基板３４０の位置決めに用いられる構造であり、第１の平板１４０ａに形成されている。突起部１４３ａ，１４３ｂは、太い円柱の上に細い円柱を重ねた形状である。突起部１４３ａ，１４３ｂは、太い円柱部分でボタン構造体２４０を位置決めするとともに、回路基板３４０を支持する。突起部１４３ａ，１４３ｂは、細い円柱部分で、回路基板３４０を位置決めする。
【００５２】
突起部１４３ａの細い円柱部分の上端面（第１の平板１４０ａと反対側の面）の中央部分には凹部１４３ａ１が形成されている。突起部１４３ｂの細い円柱部分の上端面（第１の平板１４０ａと反対側の面）の中央部分には凹部１４３ｂ１が形成されている。
【００５３】
凹部１４３ａ１，１４３ｂ１は、操作部４０をオーバーヘッドリーダ１に取り付けるための構造である。操作部４０のオーバーヘッドリーダ１への取り付けについては後で図１２を用いて詳細に説明する。
【００５４】
レンズ露出部１４４は、表示灯４４を構成するレンズ４４０の一部分を部品カバー１４０から露出するための構造であり、第２の平板１４０ｂおよび第３の平板１４０ｃに形成されている。
【００５５】
ボタン露出部１４５ａ，１４５ｂ，１４５ｃは、押ボタン式のスイッチ４１，４２，４３を構成するボタン構造体２４０の一部を部品カバー１４０から露出するための構造であり、第１の平板１４０ａに形成されている。ボタン露出部１４５ａは、スイッチ４１のボタンを露出する。ボタン露出部１４５ｂは、スイッチ４２のボタンを露出する。ボタン露出部１４５ｃは、スイッチ４３のボタンを露出する。
【００５６】
突起部１４６ａ，１４６ｂは、ボタン構造体２４０の位置決めに用いられる構造であり、第１の平板１４０ａに形成されている。また、突起部１４６ａ，１４６ｂは、回路基板３４０を支持する。
【００５７】
突起部１４７ａ，１４７ｂは、ボタン構造体２４０およびレンズ４４０の位置決めに用いられる構造であり、第１の平板１４０ａおよび第２の平板１４０ｂに形成されている。
貫通孔１４８ａ，１４８ｂは、操作部４０をオーバーヘッドリーダ１に取り付けるための構造であり、第３の平板１４０ｃに形成されている。貫通孔１４８ａは、部品カバー１４０を部品固定状態にした状態（係止孔１４１ａ，１４１ｂで係止突起１４２ａ，１４２ｂを係止した状態）で、凹部１４３ａ１と対面するように形成されている。貫通孔１４８ｂは、部品カバー１４０を部品固定状態にした状態で、凹部１４３ｂ１と対面するように形成されている。
【００５８】
突起部１４９は、第１の平板１４０ａ（部品カバー１４０）に取り付けたボタン構造体２４０と回路基板３４０とを第１の平板１４０ａ（部品カバー１４０）に対して固定する構造であり、第３の平板１４０ｃに形成されている。突起部１４９は、部品カバー１４０を部品固定状態にすると、第１の平板１４０ａに取り付けられた回路基板３４０と接触し、ボタン構造体２４０と回路基板３４０とを第１の平板１４０ａ側に固定する。ケーブル溝１５０は、配線ケーブルを配線するための構造であり、第３の平板１４０ｃに形成されている。
【００５９】
次にボタン構造体２４０について図７を用いて説明する。図７は、実施形態におけるボタン構造体を示す図である。
ボタン構造体２４０は、操作部４０が有する３つの押下式スイッチのボタンである。ボタン構造体２４０は、樹脂により一体成形されている。
【００６０】
ボタン構造体２４０は、フレーム２４１と、ボタン２４２ａ，２４２ｂ，２４２ｃと、可動部２４３ａ，２４３ｂ，２４３ｃ，２４３ｄ，２４３ｅ，２４３ｆと、挿入部２４４ａ，２４４ｂ，２４４ｃ，２４４ｄと、突起部２４５ａ，２４５ｂとを有する。
【００６１】
フレーム２４１は、押ボタン式のスイッチ４１，４２，４３を構成するボタンを支持する枠体である。
ボタン２４２ａ，２４２ｂ，２４２ｃは、操作者によって押下されるボタン（操作面）である。ボタン２４２ａは、スイッチ４１を構成するボタンである。ボタン２４２ａは、他のスイッチの操作内容と区別可能にするために表面にスイッチ４１の操作内容を識別可能な識別情報が形成されている。ボタン２４２ｂは、スイッチ４２を構成するボタンである。ボタン２４２ｂは、他のスイッチの操作内容と区別可能にするために表面にスイッチ４２の操作内容を識別可能な識別情報が形成されている。ボタン２４２ｃは、スイッチ４３を構成するボタンである。ボタン２４２ｃは、他のスイッチの操作内容と区別可能にするために表面にスイッチ４３の操作内容を識別可能な識別情報が形成されている。
【００６２】
可動部２４３ａ，２４３ｂ，２４３ｃ，２４３ｄ，２４３ｅ，２４３ｆは、弾性変形することでボタン２４２ａ，２４２ｂ，２４２ｃを図面奥行方向に可動する。可動部２４３ａ，２４３ｂは、一端でフレーム２４１に対して固定されるとともに、他端で裏面側（図７の奥行方向）に向かって可動可能にボタン２４２ａと接続する。可動部２４３ｃ，２４３ｄは、一端でフレーム２４１に対して固定されるとともに、他端で裏面側（図７の奥行方向）に向かって可動可能にボタン２４２ｂと接続する。可動部２４３ｅ，２４３ｆは、一端でフレーム２４１に対して固定されるとともに、他端で裏面側（図７の奥行方向）に向かって可動可能にボタン２４２ｃと接続する。
【００６３】
図７に示したボタン構造体２４０では、可動部２４３ｃ，２４３ｄを、他の可動部よりも長く成形している。このように可動部２４３ｃ，２４３ｄを長く（弾性変形しやすく）することで、ボタン構造体２４０は、撮影指示のスイッチ４２のボタン２４２ｂの感度を、他のスイッチのボタンの感度よりも高くしている（他のスイッチのボタンよりも小さな力で押下可能にしている）。これによって、ボタン構造体２４０は、スイッチ４２を操作者が使用する際に操作者が操作部４０に加える力を抑制することができる。
【００６４】
通常、オーバーヘッドリーダ１の運用時には、撮影指示のスイッチ４２は、撮影パラメータの調整指示のスイッチ４１，４３よりも高頻度で使用される。そのため、スイッチ４２のボタン２４２ｂの感度を、他のスイッチのボタンの感度よりも高くすることで、ボタン構造体２４０は、オーバーヘッドリーダ１の運用中に操作部４０に加わる負荷を抑制し、操作部４０の故障を抑止できる。
【００６５】
また、ボタン構造体２４０は、使用頻度の低いスイッチ４１，４３のボタン２４２ａ，２４２ｃの感度をボタン２４２ｂの感度よりも低くすることで、予期せぬ誤入力を抑制している。
【００６６】
なお、可動部の破損が原因である操作部４０の故障が頻繁におきる場合には、ボタン構造体２４０は、可動部を弾性変形しにくく（ボタンの感度を低く）して、強度を上げることで、操作部４０の故障を抑止することもできる。
【００６７】
挿入部２４４ａ，２４４ｂ，２４４ｃ，２４４ｄは、ボタン構造体２４０を部品カバー１４０に取り付ける時に、部品カバー１４０に対するボタン構造体２４０の位置決めに用いられる構造である。
【００６８】
挿入部２４４ａは、フレーム２４１とボタン２４２ａと可動部２４３ａとで囲まれた領域であり、ボタン構造体２４０を部品カバー１４０に取り付けると挿入部２４４ａには突起部１４３ａが挿入される。挿入部２４４ｂは、フレーム２４１と可動部２４３ｂと可動部２４３ｃで囲まれた領域であり、ボタン構造体２４０を部品カバー１４０に取り付けると挿入部２４４ｂには突起部１４６ａが挿入される。
【００６９】
挿入部２４４ｃは、フレーム２４１と可動部２４３ｄと可動部２４３ｅで囲まれた領域であり、ボタン構造体２４０を部品カバー１４０に取り付けると挿入部２４４ｃには突起部１４６ｂが挿入される。挿入部２４４ｄは、フレーム２４１とボタン２４２ｃと可動部２４３ｆで囲まれた領域であり、ボタン構造体２４０を部品カバー１４０に取り付けると挿入部２４４ｄには突起部１４３ｂが挿入される。
【００７０】
突起部２４５ａ，２４５ｂは、回路基板３４０の位置決めに用いられる構造である。突起部２４５ａ，２４５ｂは、裏面側（図７の奥行方向）に向かって突起している。
次に回路基板３４０について図８を用いて説明する。図８は、実施形態における回路基板を示す図である。
【００７１】
回路基板３４０は、スイッチ４１，４２，４３のボタンの押下を検出する回路が形成された基板である。図８に示した回路基板３４０は、裏面側（回路が形成されていない側）を示している。
【００７２】
回路基板３４０は、発光部３４１と、ケーブル接続部３４２と、貫通孔３４３ａ，３４３ｂと、貫通孔３４４ａ，３４４ｂとを有する。
発光部３４１は、回路基板３４０に形成された回路によってボタンの押下を検出した場合に発光（光を出射）する。ケーブル接続部３４２は、配線ケーブルの接続端子と接続する。
【００７３】
貫通孔３４３ａ，３４３ｂは、回路基板３４０を部品カバー１４０に取り付ける時に、部品カバー１４０に対する回路基板３４０の位置決めに用いられる構造である。貫通孔３４３ａ，３４３ｂは、突起部１４３ａの細い円柱部分だけが挿入できる（太い円柱部分が挿入できない）大きさで形成されている。貫通孔３４３ａは、回路基板３４０を部品カバー１４０に取り付けると突起部１４３ａの細い円柱部分が挿入される。貫通孔３４３ｂは、回路基板３４０を部品カバー１４０に取り付けると突起部１４３ｂの細い円柱部分が挿入される。
【００７４】
貫通孔３４４ａ，３４４ｂは、回路基板３４０を部品カバー１４０に取り付ける時に、部品カバー１４０に取り付けられたボタン構造体２４０に対する回路基板３４０の位置決めに用いられる構造である。貫通孔３４４ａは、回路基板３４０を部品カバー１４０に取り付けると、部品カバー１４０に取り付けられたボタン構造体２４０の突起部２４５ａが挿入される。貫通孔３４４ｂは、回路基板３４０を部品カバー１４０に取り付けると、部品カバー１４０に取り付けられたボタン構造体２４０の突起部２４５ｂが挿入される。
【００７５】
次にレンズ４４０について図９を用いて説明する。図９は、実施形態におけるレンズを示す図である。
レンズ４４０は、回路基板３４０の発光部３４１が出射した光を入射して、レンズ露出部１４４から入射した光を出射する。レンズ４４０は、露出部４４１と、突起部４４２とを有する。
【００７６】
露出部４４１は、レンズ露出部１４４から露出する部分であり、レンズ４４０の上面４４０ａおよび側面４４０ｂに形成されている。露出部４４１は、レンズ４４０の側面４４０ｃから入射した光を出射する。
【００７７】
突起部４４２は、レンズ４４０の位置決めに用いられる構造であり、レンズ４４０の底面４４０ｄに形成されている。なお、底面４４０ｄの他端側にも同様に突起部４４２が形成されている。
【００７８】
突起部４４２は、レンズ４４０を部品カバー１４０に取り付けると、部品カバー１４０と回路基板３４０との隙間、および部品カバー１４０とボタン構造体２４０との隙間に挿入される。
【００７９】
次に、操作部４０の組立について図１０，１１を用いて説明する。図１０，１１は、実施形態における操作部の組立工程を示す図である。
まず図１０（ａ）に示すように、ボタン構造体２４０を部品カバー１４０（収容部）に取り付ける。具体的には、ボタン構造体２４０は、挿入部２４４ａに突起部１４３ａが挿入され、挿入部２４４ｄに突起部１４３ｂが挿入された状態で部品カバー１４０に取り付けられる。また、ボタン構造体２４０は、挿入部２４４ｂに突起部１４６ａが挿入され、挿入部２４４ｃに突起部１４６ｂが挿入された状態で部品カバー１４０に取り付けられる。また、ボタン構造体２４０は、突起部１４７ａ，１４７ｂによって位置決めされた状態で部品カバー１４０に取り付けられる。
【００８０】
つまり、ボタン構造体２４０は、第１の平板１４０ａと平行な方向の移動を規制された状態（第１の平板１４０ａと垂直な方向以外に移動できない状態）で部品カバー１４０に取り付けられる。
【００８１】
次に、図１０（ｂ）に示すように、回路基板３４０を、ボタン構造体２４０が取り付けられた部品カバー１４０（収容部）にさらに取り付ける。具体的には、回路基板３４０は、突起部１４３ａの太い円柱部分で回路基板３４０のおもて面を支持されるとともに、貫通孔３４３ａに突起部１４３ａの細い円柱部分が挿入された状態で部品カバー１４０に取り付けられる。また、回路基板３４０は、突起部１４３ｂの太い円柱部分で回路基板３４０のおもて面を支持されるとともに、貫通孔３４３ｂに突起部１４３ｂの細い円柱部分が挿入された状態で部品カバー１４０に取り付けられる。また、回路基板３４０は、貫通孔３４４ａに突起部２４５ａが挿入され、貫通孔３４４ｂに突起部２４５ｂが挿入された状態で部品カバー１４０に取り付けられる。
【００８２】
つまり、回路基板３４０は、第１の平板１４０ａと平行な方向の移動を規制された状態（第１の平板１４０ａと垂直な方向以外で移動できない状態）で部品カバー１４０に取り付けられる。
【００８３】
次に、図１１（ａ）に示すように、レンズ４４０を、ボタン構造体２４０および回路基板３４０が取り付けられた部品カバー１４０（収容部）にさらに取り付ける。具体的には、レンズ４４０は、第２の平板１４０ｂと回路基板３４０と突起部１４７ａ，１４７ｂとで形成された隙間、および第２の平板１４０ｂとフレーム２４１と突起部１４７ａ，１４７ｂとで形成された隙間に、突起部４４２を挿入した状態で取り付けられる。
【００８４】
つまり、レンズ４４０は、第１の平板１４０ａと平行な方向の移動を規制された状態（第１の平板１４０ａと垂直な方向以外で移動できない状態）で部品カバー１４０の正位置に取り付けられる。
【００８５】
次に、図１１（ｂ）に示すように、ボタン構造体２４０、回路基板３４０およびレンズ４４０を取り付けた部品カバー１４０を部品固定状態（収容部の開閉板を閉じて収容部閉鎖状態）にする。
【００８６】
具体的には、部品カバー１４０は、第３の平板１４０ｃを第１の平板１４０ａと対面する状態まで回動し、係止孔１４１ａと係止突起１４２ａ、係止孔１４１ｂと係止突起１４２ｂとを係脱可能に係止することで、第３の平板１４０ｃを第１の平板１４０ａと対面する状態で固定して部品固定状態になる。
【００８７】
部品カバー１４０を部品固定状態にすると、突起部１４９によって、ボタン構造体２４０および回路基板３４０の第１の平板１４０ａと垂直な方向への移動が制限される。これにより、ボタン構造体２４０および回路基板３４０は、部品カバー１４０から取り外し不可能（着脱不可能）になる。つまり、部品カバー１４０を部品固定状態にすることでボタン構造体２４０および回路基板３４０は、部品カバー１４０に固定される。
【００８８】
また、第３の平板１４０ｃを第１の平板１４０ａと対面する状態にすると、レンズ露出部１４４から露出部４４１だけが露出し、第３の平板１４０ｃによって、レンズ４４０の第１の平板１４０ａと垂直な方向への移動が規制される。これにより、レンズ４４０は、部品カバー１４０から取り外し不可能（着脱不可能）になる。つまり、部品カバー１４０を部品固定状態にすることでレンズ４４０は、部品カバー１４０に固定される。
【００８９】
以上が操作部４０の組立工程である。次にこのように組立てた操作部４０を取り付けるオーバーヘッドリーダ１の取付部について説明する。図１２は、実施形態における操作部が取り外されたオーバーヘッドリーダの部分拡大図である。図１２は、オーバーヘッドリーダ１の操作部４０を取り付ける取付部１５を示している。
【００９０】
取付部１５は、操作部４０を取り付ける部分であり、載置台１０の外周領域１２の一画に形成されている。取付部１５は、配線部５０に配線された配線ケーブル５１を露出するように載置台１０の外周領域１２の一部を切り出して形成されている。
【００９１】
取付部１５は、取付部材１５ａ，１５ｂを有する。取付部材１５ａ，１５ｂは、操作部４０をオーバーヘッドリーダ１に取り付けるために用いられる部材である。
取付部材１５ａ，１５ｂは、操作部４０をオーバーヘッドリーダ１に取り付けた状態で、回路基板３４０と接触する。取付部材１５ａ，１５ｂは、静電気除去（抑止）部材（たとえば、アルミニウム）であり、回路基板３４０と接触することで、静電気を除去して静電気による故障を抑止する。
【００９２】
取付部材１５ａには、操作部４０と取付部材１５ａとを着脱可能に固定するための貫通孔１５ａ１が形成されている。取付部材１５ｂには、操作部４０と取付部材１５ｂとを着脱可能に固定するための貫通孔１５ｂ１が形成されている。
【００９３】
ここで具体的に、操作部４０のオーバーヘッドリーダ１に対する取り付け手順について説明する。
まず始めに、ケーブル接続部３４２に配線ケーブル５１を接続する。そして、回路基板３４０と第３の平板１４０ｃとの隙間に、取付部材１５ａ，１５ｂを挿入する。そして、回路基板３４０と第３の平板１４０ｃとの隙間に、取付部材１５ａ，１５ｂを挿入した状態で、凹部１４３ａ１と貫通孔１５ａ１，１４８ａが一致（連続）し、かつ、凹部１４３ｂ１と貫通孔１５ｂ１，１４８ｂが一致（連続）する位置まで操作部４０を移動する。
【００９４】
そして、載置台１０の裏面側の貫通孔１４８ａから、貫通孔１５ａ１を経て、凹部１４３ａ１に至るまで固定具（ねじ）を挿入し、貫通孔１４８ｂから、貫通孔１５ｂ１を経て、凹部１４３ｂ１に至るまで固定具（ねじ）を挿入することで、操作部４０を、取付部１５（オーバーヘッドリーダ１）に対して固定する。
【００９５】
なお、開示はあくまでも一例にすぎず、当業者において、発明の主旨を逸脱しない範囲で適宜変更が可能であり、容易に想到し得るものについても、当然に本発明の範囲に包含されるものである。
【符号の説明】
【００９６】
１  オーバーヘッドリーダ
１０  載置台
２０  カメラ
３０  支柱
４０  操作部
５０  配線部
【図１】
2017135488.tif 000003
【図２】
2017135488.tif 000004
【図３】
2017135488.tif 000005
【図４】
2017135488.tif 000006
【図５】
2017135488.tif 000007
【図６】
2017135488.tif 000008
【図７】
2017135488.tif 000009
【図８】
2017135488.tif 000010
【図９】
2017135488.tif 000011
【図１０】
2017135488.tif 000012
【図１１】
2017135488.tif 000013
【図１２】
2017135488.tif 000014